(57)【要約】【課題】  放射性物質、特にセシウム１３７の半減期は３０年と長く、食物連鎖により人にも重大な影響をあたえる。しかしながら、内部セシウムの効率的な除染方法は確立されていない。【解決手段】  交流電解水素水を経口投与することにより、生物内に取り込まれた放射性物質の排出を助長させることを特徴とする。【選択図】図１
2017029965.tif 000002
【特許請求の範囲】
【請求項１】
交流電源を用いて、電極間に電流を流すことにより、Ｈプラスイオン、Ｈラジカル、Ｈマイナスイオン、Ｈ２および金属粒子、金属イオンを含有する交流電解水素水製造方法。
【請求項２】
前記供給電源は、単相・二相・三相の内一つを選択し、電圧は１００−２３０Ｖを用いることを特徴とする請求項１に記載の交流電解水素水製造方法。
【請求項３】
前記交流電解水素水溶液中の金属粒子および金属イオンは、電極より溶出するものを利用することを特徴とする請求項１又は２に記載の交流電解水素水溶液製造方法
【請求項４】
前記交流電解水素水を生物に経口投与することにより、放射性物質の排泄の助長を行わせる生体内放射性物質排出方法。
【発明の詳細な説明】
【技術分野】
【０００１】  本発明は、交流電解水素水を製造する方法及び生体内に取り込まれた放射性物質を活性化した交流電解水素水を使用することで排出を助長させる方法に関するものである。
【背景技術】
【０００２】  ウラン等の放射性物質は、原子力発電所で燃料として使用されているが、福島原発事故のように一旦原子炉から放出されると生物に取り込まれ、多大な影響を生物に与えてしまう。【０００３】  事故により放出される放射性物質には、放射性ヨウ素、放射性セシウム、放射性ストロンチウム等がある（非特許文献１）。【０００４】  生物内に取り込まれた放射性物質の除去は、ストロンチウムの排出にはアルギン酸やリン酸塩の摂取が有効であり、放射性ヨウ素の排出には海草類の摂取が効果的であるとされている（非特許文献２）。【０００５】  交流電解水素水は、Ｈプラスイオン、Ｈラジカル、Ｈマイナスイオンおよび水素分子（Ｈ２）を多く含有しており、活性酸素種（ＲＯＳ）による酸化的損傷からＤＮＡを保護するためにＲＯＳ捕捉する（非特許文献３、４）。特に、Ｈ２は、酸化ストレス関連疾患のさまざまなＲＯＳを捕捉し、抑制することが報告されている（非特許文献５）。【０００６】    生物組織の有害な影響は、ヒドロキシルラジカル（ＯＨ・）の産生の増加を介して媒介される。水素（Ｈ２）は選択的にＯＨ・を減らし、抗酸化活性を発揮する（非特許文献６）。また、水素（Ｈ２）は、培養ヒト細胞とマウスでガンマ放射線から胃腸管を保護できることが実証されている（非特許文献７，８）。しかし、Ｈ２の作用機序は完全に解明されてはいない。
【先行技術文献】
【０００７】
【非特許文献１】  原発事故環境汚染、中島映至、東京大学出版会、２０１４
【０００８】
【非特許文献２】  人体内放射能の除去技術、放射線医学総合研究所、講談社、２０１１
【０００９】
【非特許文献３】  Ｓｈｉｒａｈａｔａ  Ｓ，Ｋａｂａｙａｍａ  Ｓ，Ｎａｋａｎｏ  Ｍ，Ｍｉｕｒａ  Ｔ，Ｋｕｓｕｍｏｔｏ  Ｋ，Ｇｏｔｏｈ  Ｍ，Ｈａｙａｓｈｉ  Ｈ，Ｏｔｓｕｂｏ  Ｋ，Ｍｏｒｉｓａｗａ  Ｓ，Ｋａｔａｋｕｒａ  Ｙ：Ｅｌｅｃｔｒｏｌｙｚｅｄ−ｒｅｄｕｃｅｄ  ｗａｔｅｒ  ｓｃａｖｅｎｇｅｓ  ａｃｔｉｖｅ  ｏｘｙｇｅｎ  ｓｐｅｃｉｅｓ  ａｎｄ  ｐｒｏｔｅｃｔｓ  ＤＮＡ  ｆｒｏｍ  ｏｘｉｄａｔｉｖｅ  ｄａｍａｇｅ．Ｂｉｏｐｈｙｓ  Ｂｉｏｃｈｅｍ  Ｒｅｓ  Ｃｏｍｍｕｎ  １９９７，２３４：２６９−２７４．
【００１０】
【非特許文献４】  Ｏｈｓａｗａ  Ｉ，Ｉｓｈｉｋａｗａ  Ｍ，Ｔａｋａｈａｓｈｉ  Ｋ，Ｗａｔａｎａｂｅ  Ｍ，Ｎｉｓｈｉｍａｋｉ  Ｋ，Ｙａｍａｇａｔａ  Ｋ，Ｋａｔｓｕｒａ  Ｋ，Ｋａｔａｙａｍａ  Ｙ，Ａｓｏｈ  Ｓ，Ｏｈｔａ  Ｓ：Ｈｙｄｒｏｇｅｎ  ａｃｔｓ  ａｓ  ａ  ｔｈｅｒａｐｅｕｔｉｃ  ａｎｔｉｏｘｉｄａｎｔ  ｂｙ  ｓｅｌｅｃｔｉｖｅｌｙ  ｒｅｄｕｃｉｎｇ  ｃｙｔｏｔｏｘｉｃ  ｏｘｙｇｅｎ  ｒａｄｉａｌｓ．Ｎａｔｕｒｅ  Ｍｅｄ  ２００７，１３：６８８−６９４．
【００１１】
【非特許文献５】  Ｑｉａｎ  Ｌ，Ｃａｏ  Ｆ，Ｃｕｉ  Ｊ，Ｈｕａｎｇ  Ｙ，Ｚｈｏｕ  Ｘ，Ｌｉｕ  Ｓ，Ｃａｉ  Ｊ．Ｒａｄｉｏｐｒｏｔｅｃｔｉｖｅ  ｅｆｆｅｃｔ  ｏｆ  ｈｙｄｒｏｇｅｎ  ｉｎ  ｃｕｌｔｕｒｅｄ  ｃｅｌｌｓ  ａｎｄ  ｍｉｃｅ．Ｆｒｅｅ  Ｒａｄｉｃ  Ｒｅｓ  ４４：２７５−２８２．
【００１２】
【非特許文献６】  Ｏｈｓａｗａ  Ｉ，Ｉｓｈｉｋａｗａ  Ｍ，Ｔａｋａｈａｓｈｉ  Ｋ  ｅｔ  ａｌ：Ｈｙｄｒｏｇｅｎ  ａｃｔｓ  ａｓ  ａ  ｔｈｅｒａｐｅｕｔｉｃ  ａｎｔｉｏｘｉｄａｎｔ  ｂｙ  ｓｅｌｅｃｔｉｖｅｌｙ  ｒｅｄｕｃｉｎｇ  ｃｙｔｏｔｏｘｉｃ  ｏｘｙｇｅｎ  ｒａｄｉｃａｌｓ．Ｎａｔ  Ｍｅｄ，２００７；１３：６８８−９４
【００１３】
【非特許文献７】  Ｍｉｎｉｓｔｒｙ  ｏｆ  Ｅｄｕｃａｔｉｏｎ（２０１０）：Ｊａｐａｎ  ｆｏｏｄ  ｓｔａｎｄａｒｄ  ｃｏｍｐｏｎｅｎｔ  ｔａｂｌｅ
【００１４】
【非特許文献８】  Ｑｉａｎ  Ｌ，Ｃａｏ  Ｆ，Ｃｕｉ  Ｊ：Ｒａｄｉｏｐｒｏｔｅｃｔｉｖｅ  ｅｆｆｅｃｔ  ｏｆ  ｈｙｄｒｏｇｅｎ  ｉｎ  ｃｕｌｔｕｒｅｄ  ｃｅｌｌｓ  ａｎｄ  ｍｉｃｅ．Ｆｒｅｅ  Ｒａｄｉｃ  Ｒｅｓ，２０１０；４４：２７５−８２
【発明の概要】
【発明が解決しようとする課題】
【００１５】  放射性物質、特にセシウム１３７の半減期は３０年と長く、食物連鎖により人にも重大な影響をあたえる。しかしながら、生体内セシウムの効率的な除染方法は確立されていない。【００１６】本発明は、生物内に蓄積した放射性物質、特に放射性セシウムを体外に排出するために、交流電解水素水を使用して効果的な除染を行うものである。
【課題を解決するための手段】
【００１７】  交流電解水素水発生装置として、１００ないし２３０Ｖの単相、二相または三相の交流電流を、好ましくは２００ボルト以上の三相の交流電源により、交流電解水素水を発生させることを特徴とする。【００１８】  交流電解水素水製造方法として、電極は２本以上の電極を備えて良い。一般に、それ自体と他の電極との間の供給水溶液を通る電気を効果的に導くことができるいずれの形状にもすることができ、平面状電極、棒状電極、及び多孔質電極を挙げることができるが、これらに限定されない。電極は、電極間にほぼ均一な間隙を与えるように、形状設定し配置することができる。一方、電極を、異なる形状、異なる寸法にすることもでき、互いに不均等な間隔をあけて配置することもできる。【００１９】  電極は、通常は金属の導電性材料であるが、炭素のような非金属の導電性材料も使用することができる。電極の材料は、同一でも異なっても良い。腐食を最小限に抑えるために、好ましくは耐薬品性金属が使用される。好ましい電極用金属は、ステンレス鋼、白金、パラジウム、イリジウム、ルテニウムと同様に、チタン、鉄、ニッケル、クロム、並びにこれらの合金及び酸化物である。【００２０】  電解槽は、数個を直列、または並列に配置することができる。【００２１】  生体内放射性物質排出方法として、交流電解水素水を経口投与することにより、生体内に取り込まれた放射性物質の排出を助長させる。
【発明の効果】
【００２２】  本発明により、通常の生活の飲水行為として、安全で副作用がなく、安易にしかも廉価で生体内に取り込まれた放射性物質を除去することができる。
【図面の簡単な説明】
【００２３】
【図１】家禽の各臓器の１週間後、３週間後および５週間後の乾燥重量の時間的変化
【００２４】
【図２】胸肉に含まれるセシウム１３７の時間的変化
【００２５】
【図３】ささみ肉に含まれるセシウム１３７の時間的変化
【００２６】
【図４】もも肉に含まれるセシウム１３７の時間的変化
【発明を実施するための形態】
【実施例１】
【００２７】    交流電解水素水製造方法による交流電解水素水は、ステンレス鋼電極を用いて、２００Ｖの三相交流電源で電気分解することによって作製した。この装置を用いて作製した交流電解水素水は、ｐＨ（６．８）、溶存水素（ＤＨ）（０．３ｐｐｍ）で、酸化還元電位（ＯＲＰ）（５２１ｍＶ）および溶存酸素（ＤＯ）（２．５９ｐｐｍ）を示した。【００２８】  生体内放射性物質排出方法における放射性セシウムは、生理食塩水に溶解し、ろ過滅菌後、人工的な内部被ばくのために、家禽への腹腔内注射のために用意した。【００２９】    家禽の全体重が２．５キロになったときに、放射線セシウム含有生理食塩水を腹腔内注射を行った。家禽は、２つのグループに分けられ、第１のグループは、交流電解水素水を供給され、第２のグループは、飲料水として水道水が与えられた。【００３０】  生理食塩水は、放射線セシウム１．５ベクレル／ｍｌで、２０ミリリットルを家禽の腹腔内に注入した。【００３１】  生理食塩水中の放射性セシウム１３７はガンマ線スペクターメーター（ＬＢ２０５４、ＢＥＲＴＨＯＬＤ  ＴＥＣＨＮＯＬＯＧＩＥＳ社＆Ｃｏ．ＫＧ社、ドイツ）を用いて測定した。【００３２】  家禽は、第１週、第３週および５週目に屠殺した。臓器は、通常の食肉加工技術により抽出した。臓器は、胸肉、もも肉およびしろ肉（ささみ）に含まれる放射性セシウムの量を測定した。【００３３】  抽出された臓器は、凍結乾燥した後、各臓器に含まれる放射能を前述のガンマ線スペクトロメーターを用いて、それぞれ１８時間測定を行った。測定値は、乾燥重量当たりの放射性セシウム量で表した。【００３４】  図１は、交流電解水素水投与群と水道水投与群の臓器重量の時間的変化を示している。１週間後、３週間後および５週間後において、もも肉（Ｔｈｉｇｈ  ｍｅａｔ）、胸肉（Ｂｒｅａｓｔ  ｍｅａｔ）およびささみ（Ｗｈｉｔｅ  ｍｅａｔ）の各臓器において、交流電解水素水投与群と水道水投与群の臓器重量に有為な差はみられなかった。【００３５】  各臓器の放射性セシウム排泄に及ぼす交流電解水素水の影響を示したのが図２，３，４である。図２は、胸肉にける放射性セシウム量の時間的変化である。１，３，５週間と、測定量は減少し、３，５週間で交流電解水素水投与群と水道水投与群とでは有意な差が認められた。図３はささみ肉、図４はもも肉に関してであるが、胸肉と同様に交流電解水投与群では水道水投与群に比較して有意に放射線セシウム量は減少している。
2017029965.tif 000003
【００３６】    以上により、家禽に対する交流電解水素水の供給は、体内の放射性セシウムを効率よく排出することができ、生物内に取り込まれた放射性セシウムの排出に交流電解水素水の利用が有効であることが示された。
【図１】
2017029965.tif 000004
【図２】
2017029965.tif 000005
【図３】
2017029965.tif 000006
【図４】
2017029965.tif 000007